(57)【要約】【課題】手や衣服などが触れても粉状体や砂粒が付着することがなく、粉塵の発生も極めて少ない、コンクリートブロックを提供する。【解決手段】コンクリートブロック１０は、エチレン酢酸ビニル共重合体を含むセメントモルタルによって形成され、高さＨ１方向に貫通する複数の貫通空洞１１を有する直方体形状である。そして、その長さＬ１×高さＨ１×厚さＴ１が、２００ｍｍ×１００ｍｍ×６０ｍｍである。また、ブロック１０の左右両側面にはそれぞれ、断面が略Ｕ字状をした凹溝１２が高さＨ１方向に形成されている。ブロック１０の長さＬ１、高さＨ１および厚さＴ１はそれぞれ標準ブロック（長さ３９０ｍｍ，高さ１９０ｍｍ，厚さ１２０ｍｍ）の長さ、高さおよび厚さの約１／２のサイズであり、重量は約１／８である。【選択図】  図１
2006104818.tif 000002
【特許請求の範囲】
【請求項１】
高さ方向に貫通する少なくとも１つの貫通空洞または高さ方向の一方の端面のみに開口部を有する少なくとも１つの有底空洞を有する直方体形状のコンクリートブロックであって、接着増強剤を含むセメントモルタルで形成したことを特徴とするコンクリートブロック。
【請求項２】
前記コンクリートブロックの露出面に、接着増強剤または合成樹脂を含浸させた保護層を設けた請求項１記載のコンクリートブロック。
【請求項３】
前記コンクリートブロックの長さ×高さ×厚さをそれぞれ標準ブロックの長さ、高さおよび厚さの約１／２または約１／３または約１／４のうちのいずれかとした請求項１または２記載のコンクリートブロック。
【発明の詳細な説明】
【技術分野】
【０００１】
本発明は、インテリア用あるいはエクステリア用として使用することのできるコンクリートブロックに関する。
【背景技術】
【０００２】
コンクリート構造物の壁体や敷地の周囲に立設されるコンクリート塀などを構築する際に使用されるコンクリートブロックとしては、従来、日本工業規格（ＪＩＳ  Ａ  ５４０６）で定められたサイズの空洞コンクリートブロックが一般的である。このコンクリートブロックの標準寸法は、長さ３９０ｍｍ、高さ１９０ｍｍであって、厚さは１００ｍｍ，１２０ｍｍ，１５０ｍｍ，１９０ｍｍの４種類がある。
【０００３】
このようなサイズのコンクリートブロックは、縦横に密着させて複数配列することにより平面体を容易に形成することができるので様々な建設用途に利用されているが、本来の用途とは異なる用途、例えば、植木鉢やプランターなどの下敷きなどとしても広く使用されている。また、従来のコンクリートブロックは、室内に配置される各種重量物、例えばオーディオ装置のスピーカあるいは家具などの載せ台として、建物内部で使用される例もある。
【０００４】
しかしながら、日本工業規格で定められたサイズのコンクリートブロックは、女性や老人などを含む一般人が持ち運んだり、室内に配置したりする場合には、重過ぎる場合が多い。そこで、室内での使用に適した、コンクリートブロックとほぼ同形の合成樹脂発泡体製のブロックが開発されている（例えば、特許文献１参照。）。
【０００５】
【特許文献１】特開２００３−３４９９５号公報
【発明の開示】
【発明が解決しようとする課題】
【０００６】
日本工業規格で定められた従来のコンクリートブロックは、セメントモルタルで形成されているため、露出面全体に砂粒および細かな白色系の粉状体が存在している。このため、手や衣服などがコンクリートブロックに触れると、これらの砂粒や粉状体が手や衣服などに付着して汚すことが多い。また、これらの砂粒や粉状体はコンクリートブロックの露出面から粉塵となって離脱しやすいので、スピーカなどの載せ台として室内で使用した場合、砂粒や粉状体に起因する粉塵が次第にブロック周辺に散乱することとなる。このような砂粒や粉状体は、コンクリートブロック表面を掃除機で清掃しても無くすことができないので、粉塵防止のためには、コンクリートブロックを紙や薄いシート材で包む程度の対策しかないのが実状である。
【０００７】
一方、特許文献１に記載の合成樹脂発泡体製ブロックは軽量であるため、持ち運びは容易であり、万一、取り落とすようなことがあっても人体や他の物品を損傷しにくいという点では優れている。また、セメントモルタルを原料としないので、砂粒や粉状体に起因する粉塵が発生することもない。しかしながら、軽すぎて安定性に欠け、ベランダや庭などに放置していると風で吹き飛ばされることがある。また、合成樹脂発泡体で形成されているため、コンクリートブロックに比べて強度、耐荷重が小さく、オーディオ用スピーカや家具などの重量物の載せ台にすると、圧壊するおそれもある。
【０００８】
本発明が解決しようとする課題は、手や衣服などが触れても粉状体や砂粒が付着することがなく、粉塵の発生も極めて少ない、コンクリートブロックを提供することにある。
【課題を解決するための手段】
【０００９】
本発明のコンクリートブロックは、高さ方向に貫通する少なくとも１つの貫通空洞または高さ方向の一方の端面のみに開口部を有する少なくとも１つの有底空洞を有する直方体形状のコンクリートブロックであって、接着増強剤を含むセメントモルタルで形成したことを特徴とする。
【００１０】
このような構成とすれば、コンクリートブロックを形成するセメントや砂などが全体的に接着増強剤で互いに固められた状態となるため、コンクリートブロックに手で触れたときに粉状体が飛散したり、砂粒が脱落したりするのを防止することができる。このため、手や衣服などが触れても粉状体や砂粒が付着することがなくなり、粉塵の発生も極めて少なくなる。従って、当該コンクリートブロックを室内で使用する場合に、手や衣服などを汚したり、周囲の床面に粉塵が散乱したりすることもなくなる。また、コンクリート製のブロックであるため、合成樹脂発泡体で形成されたブロックに比べて高い強度を備えている。なお、接着増強剤としては、エチレン酢酸ビニル共重合体を含むものが好適である。
【００１１】
ここで、前記コンクリートブロックの露出面に、接着増強剤または合成樹脂を含浸させた保護層を設けることもできる。このような保護層を設ければ、保護層の領域内において、コンクリートブロックを形成するセメントや砂などが接着増強剤または合成樹脂によってさらに強固に相互固着された状態となる。このため、砂粒や粉状体の離脱防止作用が高まり、粉状体や砂粒が離脱したり、粉塵が発生したりすることが殆ど無くなる。なお、このような保護層は、接着増強剤または合成樹脂を含む液状体を、固化したコンクリートブロックの露出面に吹き付け、乾燥させることによって形成することができる。この場合、接着増強剤としてはエチレン酢酸ビニル共重合体を含むものが好適であり、合成樹脂としてはアクリルシリコン樹脂を含むものが好適である。
【００１２】
一方、前記コンクリートブロックの長さ×高さ×厚さをそれぞれ標準ブロックの長さ、高さおよび厚さの約１／２または約１／３または約１／４のうちのいずれかとすることもできる。ここで、標準ブロックとは、日本工業規格（ＪＩＳ  Ａ  ５４０６）で規定されたコンクリートブロックをいう。
【００１３】
このようなサイズとすれば、コンクリートブロックの重量は、標準ブロックの重量の約１／８または約１／２７または約１／６４となるので、一般人であっても容易に取り扱うことが可能となる。また、コンクリートブロックの長さ×高さ×厚さがそれぞれ標準ブロックの長さ、高さおよび厚さの整数分の１のサイズとなるため、標準ブロックと組み合わせて縦横に複数個配列したときに、いわゆる端数が発生せず、ブロックが整然と配列された状態の壁状体を形成することも可能である。
【発明の効果】
【００１４】
本発明により、以下の効果を奏する。
【００１５】
（１）高さ方向に貫通する少なくとも１つの貫通空洞または高さ方向の一方の端面のみに開口部を有する少なくとも１つの有底空洞を有する直方体形状のコンクリートブロックを、接着増強剤を含むセメントモルタルで形成したことにより、手や衣服などが触れても粉状体や砂粒が付着することがなくなり、粉塵の発生も極めて少なくなる。
【００１６】
（２）前記コンクリートブロックの露出面に、接着増強剤または合成樹脂を含浸させた保護層を設ければ、砂粒や粉状体の離脱防止作用がさらに高まり、粉状体や砂粒が付着したり、粉塵が発生したりすることが殆ど無くなる。
【００１７】
（３）コンクリートブロックの長さ×高さ×厚さをそれぞれ標準ブロックの長さ、高さおよび厚さの約１／２または約１／３または約１／４のうちのいずれかとすれば、標準ブロックよりも小さく、軽くなるので、一般人でも容易に取り扱うことができるようになり、標準ブロックと組み合わせて使用する際に、いわゆる端数が発生せず、整然とした配列状態を得ることができる。
【発明を実施するための最良の形態】
【００１８】
以下、図面に基づいて、本発明の第１〜３実施形態であるコンクリートブロックについて説明する。図１（ａ）は本発明の第１実施形態であるコンクリートブロックを示す平面図、（ｂ）は前記コンクリートブロックを示す正面図、（ｃ）は前記コンクリートブロックを示す側面図である。図２（ａ）は本発明の第２実施形態であるコンクリートブロックを示す平面図、（ｂ）は前記コンクリートブロックを示す正面図、（ｃ）は前記コンクリートブロックを示す側面図である。図３（ａ）は本発明の第３実施形態であるコンクリートブロックを示す平面図、（ｂ）は前記コンクリートブロックを示す正面図、（ｃ）は前記コンクリートブロックを示す側面図である。
【００１９】
図１に示すように、第１実施形態のコンクリートブロック１０（以下、「ブロック１０」という。）は、高さＨ１方向に貫通する複数の貫通空洞１１を有する直方体形状であって、長さＬ１×高さＨ１×厚さＴ１が２００ｍｍ×１００ｍｍ×６０ｍｍである。また、ブロック１０の左右両側面にはそれぞれ、断面が略Ｕ字状をした凹溝１２が高さＨ１方向に形成されている。
【００２０】
図２に示すように、第２実施形態のコンクリートブロック２０（以下、「ブロック２０」という。）は、高さＨ２方向に貫通する複数の貫通空洞２１を有する直方体形状であって、長さＬ２×高さＨ２×厚さＴ２が２００ｍｍ×１００ｍｍ×６０ｍｍである。また、ブロック２０の左右両側面はいずれも平面形状であるが、いずれか一方の側面に前述した凹溝１２と同様の凹溝を設けることもできる。
【００２１】
図３に示すように、第３実施形態のコンクリートブロック３０（以下、「ブロック３０」という。）は、高さＨ３方向の一方の端面３３のみに開口部を有する複数の有底空洞３１を有する直方体形状であって、長さＬ３×高さＨ３×厚さＴ３が２００ｍｍ×１００ｍｍ×６０ｍｍである。また、ブロック３０の左右両側面にはそれぞれ、断面が略Ｕ字状をした凹溝３２が高さＨ３方向に形成されている。
【００２２】
ブロック１０，２０，３０の空隙率は１０％であり、これらを製作する際のセメントモルタルの水セメント比（Ｗ／Ｃ）は４４％であり、水１１０ｋｇ、セメント２５０ｋｇ、海砂２１１ｋｇ、砕砂７４０ｋｇ、減水剤１７．５ｋｇ（セメント×７％に相当）およびエチレン酢酸ビニル共重合体を含む接着増強薬剤（商品名ＨＦ−１０００）３．７５ｋｇ（セメント×１．５％に相当）を混合して形成した混練物を所定の型枠に流し込んだ後、固化、脱型することによって形成したものである。なお、ＨＦ−１０００は、日本化成株式会社のモルタル用接着増強剤・吸水調整材の商品名であり、エチレン酢酸ビニル共重合体を含む薬剤である。
【００２３】
ブロック１０，２０，３０の長さＬ１，Ｌ２，Ｌ３、高さＨ１，Ｈ２，Ｈ３および厚さＴ１，Ｔ２，Ｔ３はそれぞれ日本工業規格（ＪＩＳ  Ａ  ５４０６）で規定された標準ブロック（長さ３９０ｍｍ，高さ１９０ｍｍ，厚さ１２０ｍｍ）の長さ、高さおよび厚さの約１／２のサイズであり、重量は約１／８となっているため、一般人であっても容易に取り扱うことができる。また、標準ブロックと同様のコンクリート製ブロックであるため、合成樹脂発泡体で形成されたブロックに比べて高い強度を備えている。さらに、標準ブロックの長さ、高さおよび厚さの約１／２（整数分の１）のサイズであるため、標準ブロックと組み合わせて縦横に配列したときに、いわゆる端数が発生せず、ブロックが整然と配列された状態の壁状体を形成することも可能である。
【００２４】
また、ブロック１０，２０，３０は、エチレン酢酸ビニル共重合体を主成分とする接着増強剤を含むセメントモルタルで形成しているため、ブロック１０，２０，３０全体を形成するセメントや砂などがエチレン酢酸ビニル共重合体によって固められた状態となる。このため、完成したブロック１０，２０，３０の露出面に手や衣服などが触れたときに、粉状体や砂粒が手や衣服などに付着したり、砂粒が脱落したりすることがない。従って、当該ブロック１０，２０，３０を室内で使用する場合に、手や衣服を汚したり、床面に砂粒、粉塵が散乱したりすることもない。また、ブロック１０，２０，３０の角部分あるいは辺縁部分に手足などが触れたときに怪我をするのを防止するため、これらの角部分および辺縁部分は、尖った部分のない滑らかな曲面形状に仕上げている。
【００２５】
ここで、ブロック１０，２０，３０の使用状態を示す図４を参照して、ブロック１０，２０，３０の使い方の一例について説明する。図４に示すように、机４０の上にブロック１０，２０を載置して、ブロック１０の上に小型オーディオ機器を構成するアンプ４１およびデッキ４２を載せ、ブロック２０の上にスピーカ４３を載せている。また、机４０の隅にはブロック３０を起立状に載置し、一方の有底空洞３１ａに筆記具４４などを立て、他方の有底空洞３１ｂには花４５を立てている。
【００２６】
このようにブロック１０，２０，３０は、標準ブロックに比べてサイズが小さいので、机４０の上のような比較的狭い平面であっても、その平面上に載置して、スピーカ４３の下敷き、あるいは筆記具４４立てや花４５立てとして利用することができ、便利である。また、合成樹脂発泡体のブロックより重いので安定性は良好であり、スピーカの載せ台として標準ブロックを使用した場合に確認されている音質向上効果も得ることができる。
【００２７】
ブロック１０，２０，３０は、エチレン酢酸ビニル共重合体を含むセメントモルタルで形成しているが、これに限定するものではないので、セメントモルタルのみで形成したコンクリートブロックの露出面に、エチレン酢酸ビニル共重合体またはアクリルシリコン樹脂を含む液状体を吹き付け、含浸させた後、乾燥させることによって、露出面から所定の深さまでの保護層（図示せず）を設けることもできる。
【００２８】
このような保護層を設ければ、前述と同様、粉状体が手に付着したり、砂粒が脱落したりするのを防止することができる。また、ブロック１０，２０，３０の露出面に、さらにアクリルシリコン樹脂を含む液状体を吹き付け、含浸、乾燥させて保護層を設けることも可能であり、これにより、砂粒や粉状体の離脱防止作用をさらに高めることができるため、粉状体や砂粒が離脱したり、粉塵が発生したりすることが殆ど無くなる。なお、アクリルシリコン樹脂を含む液状体としては、大日精化工業株式会社の「クリヤー６００Ａ（商品名）」などが好適である。
【００２９】
本実施形態のブロック１０，２０，３０のサイズは前述した通りであるが、これらのサイズに限定するものではないので、例えば、長さ×高さ×厚さを１３０ｍｍ×６５ｍｍ×４０ｍｍとしたり、１００ｍｍ×５０ｍｍ×３０ｍｍとしたりすることによって、標準ブロックの１／３サイズまたは１／４サイズ、即ち、整数分の１サイズのコンクリートブロックを形成することも可能である。
【００３０】
本実施形態のブロック１０，２０，３０は、図４に示すような使い方に限定するものではないので、屋外での使用、例えば、花壇用ブロックやミニ盆栽の下敷きなどとして使用したり、従来の標準ブロックと組み合わせて壁体を形成したりすることもできる。
【００３１】
なお、本実施形態のブロック１０，２０，３０の表面形状については、従来の標準ブロックと同様に平面形状としているが、本発明はこれらに限定するものではないので、例えば、スプリット肌（割肌）、鉛玉やサンドなどによるショットブラスト加工、洗い出し加工、磨き加工（削りだし加工）、顔料混入による色付けなどを施すこともできる。
【産業上の利用可能性】
【００３２】
本発明に係るコンクリートブロックは、例えば、オーディオ用スピーカや家具などの下敷き材などの用途のほか、インテリア用あるいはエクステリア用として広く利用することができる。
【図面の簡単な説明】
【００３３】
【図１】（ａ）は本発明の第１実施形態であるコンクリートブロックを示す平面図、（ｂ）は前記コンクリートブロックを示す正面図、（ｃ）は前記コンクリートブロックを示す側面図である。
【図２】（ａ）は本発明の第２実施形態であるコンクリートブロックを示す平面図、（ｂ）は前記コンクリートブロックを示す正面図、（ｃ）は前記コンクリートブロックを示す側面図である。
【図３】（ａ）は本発明の第３実施形態であるコンクリートブロックを示す平面図、（ｂ）は前記コンクリートブロックを示す正面図、（ｃ）は前記コンクリートブロックを示す側面図である。
【図４】図１〜図３に示すコンクリートブロックの使用状態を示す図である。
【符号の説明】
【００３４】
１０，２０，３０  コンクリートブロック
１１，２１  貫通空洞
１２，３２  凹溝
３１ａ，３１ｂ  有底空洞
３３  端面
４０  机
４１  アンプ
４２  デッキ
４３  スピーカ
４４  筆記具
４５  花
Ｌ１，Ｌ２，Ｌ３  長さ
Ｈ１，Ｈ２，Ｈ３  高さ
Ｔ１，Ｔ２，Ｔ３  厚さ
【図１】
2006104818.tif 000003
【図２】
2006104818.tif 000004
【図３】
2006104818.tif 000005
【図４】
2006104818.tif 000006